(57)【特許請求の範囲】
【請求項１】
印刷されたばかりの枚葉紙のためのガイド装置であって、枚葉紙の前縁部が、この前縁部に対して垂直な枚葉紙走行方向に沿って、想定されたリード面を掠めて通過するようになっており、
前記リード面に続いて、このリード面に対して間隔を保っている、ガイドプレート装置の上側面としての枚葉紙ガイド面が設けられていて、該枚葉紙ガイド面に亙って分配配置され、この枚葉紙ガイド面に開口するブローエア開口が設けられている形式のものにおいて、
ブローエア開口（９．１，１０．１，１０′．１）が、第１のノズル構造及び少なくとも１つの第２のノズル構造で構成されたブローエアノズル（９，１０，１０′）に形成されており、
第１のノズル構造に属するブローエアノズル（９）によって、枚葉紙（１）を擦過する、枚葉紙走行方向（Ｐ）に関連して整列された空気流束が生ぜしめられるようになっており、
第２のノズル構造に属するブローエアノズル（１０，１０′）によって、枚葉紙（１）を擦過する渦流が生ぜしめられるようになっており、
第２のノズル構造に属するブローエアノズル（１０）のブローエア開口（１０．１）が、枚葉紙ガイド面（６）に形成されたギャップによって形成されており、該ギャップが、リード面（５）から離れる方向に向けられた、ガイドプレート装置（７）のガイドプレート区分（７．１，７．２，７．３）の領域の同一方向の折り曲げ部によって形成されており、前記領域は少なくともほぼ、１対の同心的な想定された円（１３，１４）間で、３６０°に亙って少なくともほぼ一様に分配配置された同一の角度に亙って延びていて、ガイドプレートラグ（１５）を形成しており、該ガイドプレートラグ（１５）が、折り曲げられた領域でそれぞれ対応する端部で、ガイドプレート区分（７．１，７．２，７．３）と一体的に接続されている、
ことを特徴とする、印刷されたばかりの枚葉紙のためのガイド装置。
【請求項２】
枚葉紙ガイド面（６）で可能なインキ付着に関連して特に危険な、枚葉紙ガイド面（６）に沿った区分において、第２のノズル構造に属するブローエアノズル（１０，１０′）が、前記区分に設けられたブローエアノズルの少なくとも１つの主要な部分を形成している、請求項１記載のガイド装置。
【請求項３】
第２のノズル構造のブローエアノズル（１０，１０′）の前方に、リード面（５）のうちの１つとは反対側の、ガイドプレート区分（７．１，７．２，７．３）の側に装着可能なノズル体（１６）が接続可能であって、
該ノズル体（１６）内に、ブローエアによって負荷可能なつる巻線状の通路（１７）が構成されており、該通路（１７）のうちのそれぞれ１つが、それぞれ３６０°に亙って分配配置されたギャップと連通している、請求項１記載のガイド装置。
【請求項４】
枚葉紙走行方向（矢印Ｐ）に対して横方向に延びるブローエアダクト（２１）が設けられていて、該ブローエアダクトを介して、ブローエアノズル（９，１０，１０′）がブローエアによって負荷可能である、請求項１記載のガイド装置。
【請求項５】
枚葉紙ガイド面（６）の侵入領域（６．１）が、第３のノズル構造のブローエアノズル（１１）を備えていて、第３のノズル構造のブローエアノズル（１１）が、ガイドプレート区分（７．１）に形成された孔の形状のブローエア開口（１１．１）を有している、請求項１記載のガイド装置。
【請求項６】
枚葉紙ガイド面（６）の侵入領域（６．１）が、第１のノズル構造のブローエアノズル（９）を備えており、該ブローエアノズル（９）は、これによって生ぜしられた空気流束が枚葉紙走行方向（矢印Ｐ）とは逆方向に向けられるように整列されている、請求項１記載のガイド装置。
【請求項７】
侵入領域（６．１）が第１及び第３のノズル構造のブローエアノズル（９，１１）を備えており、第１のノズル構造のブローエアノズル（９）によって生ぜしめられた空気流束が枚葉紙流れ方向とは逆方向に配向されており、
第１のノズル構造のブローエアノズル（９）が、枚葉紙走行方向で、第３のノズル構造のブローエアノズル（１１）に続いている、請求項５記載のガイド装置。
【請求項８】
枚葉紙ガイド面（６）の侵入領域（６．１）に向き合って配置され、かつ枚葉紙搬送方向（Ｐ）で見て下流側に位置する、枚葉紙ガイド面（６）の領域内における、第１のノズル構造に属するブローエアノズル（９）は、このブローエアノズル（９）によって生ぜしめられる空気流束が、少なくともほぼ枚葉紙走行方向（矢印Ｐ）に配向されるように、配置されている、請求項１記載のガイド装置。
【請求項９】
印刷されたばかりの枚葉紙のためのガイド装置であって、枚葉紙の前縁部が、この前縁部に対して垂直な枚葉紙走行方向に沿って、想定されたリード面を掠めて通過するようになっており、
前記リード面に続いて、このリード面に対して間隔を保っている、ガイドプレート装置の上側面としての枚葉紙ガイド面が設けられていて、該枚葉紙ガイド面に亙って分配配置され、この枚葉紙ガイド面に開口するブローエア開口が設けられている形式のものにおいて、
ブローエア開口（９．１，１０．１，１０′．１）が、第１のノズル構造及び少なくとも１つの第２のノズル構造で構成されたブローエアノズル（９，１０，１０′）に形成されており、
第１のノズル構造に属するブローエアノズル（９）によって、枚葉紙（１）を擦過する、枚葉紙走行方向（Ｐ）に関連して整列された空気流束が生ぜしめられるようになっており、
第２のノズル構造に属するブローエアノズル（１０，１０′）によって、枚葉紙（１）を擦過する渦流が生ぜしめられるようになっており、
第２のノズル構造に属するブローエアノズル（１０′）のブローエア開口（１０′．１）が、枚葉紙ガイド面（６）に形成されたギャップによって形成されており、該ギャップが、ガイドプレート装置（７）に押し込められた通路区分によって形成されており、
該通路区分が少なくともほぼ、同心的な１対の想定された円（１３，１４）間で少なくともほぼ、３６０°に亙って一様に分配された同一の角度に亙って延びており、
前記通路区分がそれぞれ通路底部を有しており、これらの通路底部が、通路区分の対応する第１の端部で枚葉紙ガイド面（６）から延びていて、この枚葉紙ガイド面（５）に関連して、リード面から離れる方向に傾斜しており、
第１の端部とは反対側に配置された第２の端部で開放された通路端面側を有している、
ことを特徴とする、印刷されたばかりの枚葉紙のためのガイド装置。
【請求項１０】
枚葉紙ガイド面（６）で可能なインキ付着に関連して特に危険な、枚葉紙ガイド面（６）に沿った区分において、第２のノズル構造に属するブローエアノズル（１０，１０′）が、前記区分に設けられたブローエアノズルの少なくとも１つの主要な部分を形成している、請求項９記載のガイド装置。
【請求項１１】
第２のノズル構造のブローエアノズル（１０，１０′）の前方に、リード面（５）のうちの１つとは反対側の、ガイドプレート区分（７．１，７．２，７．３）の側に装着可能なノズル体（１６）が接続可能であって、
該ノズル体（１６）内に、ブローエアによって負荷可能なつる巻線状の通路（１７）が構成されており、該通路（１７）のうちのそれぞれ１つが、それぞれ３６０°に亙って分配配置されたギャップと連通している、請求項９記載のガイド装置。
【請求項１２】
枚葉紙走行方向（矢印Ｐ）に対して横方向に延びるブローエアダクト（２１）が設けられていて、該ブローエアダクトを介して、ブローエアノズル（９，１０，１０′）がブローエアによって負荷可能である、請求項９記載のガイド装置。
【請求項１３】
枚葉紙ガイド面（６）の侵入領域（６．１）が、第３のノズル構造のブローエアノズル（１１）を備えていて、第３のノズル構造のブローエアノズル（１１）が、ガイドプレート区分（７．１）に形成された孔の形状のブローエア開口（１１．１）を有している、請求項９記載のガイド装置。
【請求項１４】
枚葉紙ガイド面（６）の侵入領域（６．１）が、第１のノズル構造のブローエアノズル（９）を備えており、該ブローエアノズル（９）は、これによって生ぜしめられた空気流束が枚葉紙走行方向（矢印Ｐ）とは逆方向に向けられるように整列されている、請求項９記載のガイド装置。
【請求項１５】
侵入領域（６．１）が第１及び第３のノズル構造のブローエアノズル（９，１１）を備えており、第１のノズル構造のブローエアノズル（９）によって生ぜしられた空気流束が枚葉紙流れ方向とは逆方向に配向されており、
第１のノズル構造のブローエアノズル（９）が、枚葉紙走行方向で、第３のノズル構造のブローエアノズル（１１）に続いている、請求項１３記載のガイド装置。
【請求項１６】
枚葉紙ガイド面（６）の侵入領域（６．１）に向き合って配置され、かつ枚葉紙搬送方向（Ｐ）で見て下流側に位置する、枚葉紙ガイド面（６）の領域内における、第１のノズル構造に属するブローエアノズル（９）は、このブローエアノズル（９）によって生ぜしめられる空気流束が、少なくともほぼ枚葉紙走行方向（矢印Ｐ）に配向されるように、配置されている、請求項９記載のガイド装置。
【請求項１７】
印刷されたばかりの枚葉紙のためのガイド装置であって、枚葉紙の前縁部が、この前縁部に対して垂直な枚葉紙走行方向に沿って、想定されたリード面を掠めて通過するようになっており、
前記リード面に続いて、このリード面に対して間隔を保っている、ガイドプレート装置の上側面としての枚葉紙ガイド面が設けられていて、該枚葉紙ガイド面に亙って分配配置され、この枚葉紙ガイド面に開口するブローエア開口が設けられている形式のものにおいて、
ブローエア開口（９．１，１０．１，１０′．１）が、第１のノズル構造及び少なくとも１つの第２のノズル構造で構成されたブローエアノズル（９，１０，１０′）に形成されており、
第１のノズル構造に属するブローエアノズル（９）によって、枚葉紙（１）を擦過する、枚葉紙走行方向（Ｐ）に関連して整列された空気流束が生ぜしめられるようになっており、
第２のノズル構造に属するブローエアノズル（１０，１０′）によって、枚葉紙（１）を擦過する渦流が生ぜしめられるようになっており、
第２のノズル構造に属するブローエアノズルのブローエア開口（１０″．１）が、枚葉紙ガイド面に設けられたギャップによって形成されており、該ギャップが少なくともほぼ、想定された同心的な１対の円（１３，１４）間で少なくともほぼ、３６０°に亙って一様に分配された同一の角度に亙って延びており、各ギャップのそれぞれが、
同心的なそれぞれの１対の円に関連して半径方向内方に位置する、同心的な円の少なくとも周方向に配置された、ガイドプレート装置（７）内の第１の区分（１０″．２）と、
前記第１の区分の第１の端部に接続された、同心的な円（１３，１４）のそれぞれの対に関連して、少なくともほぼ半径方向に延びる第２の区分と、
同心的なそれぞれ１対の円（１３，１４）間に配置されていて、第１の区分（１０″．２）に沿って延びる、ガイドプレート（７）の領域の成形部とから構成されており、
前記成形部は、第１の区分及び第２の区分（１０″．２及び１０″．３）によって形成された、前記ガイドプレートの領域の切断縁が、この切断縁とガイドプレート装置（７）の変形されない部分の対応する切断縁との間で、切断縁に沿ってそれぞれ延びるギャップ（１０″．４）を形成しながら、リード面（５）から離れる方向で、枚葉紙ガイド面に対して同一方向で下降している、
ことを特徴とする、印刷されたばかりの枚葉紙のためのガイド装置。
【請求項１８】
枚葉紙ガイド面（６）で可能なインキ付着に関連して特に危険な、枚葉紙ガイド面（６）に沿った区分において、第２のノズル構造に属するブローエアノズル（１０，１０′）が、前記区分に設けられたブローエアノズルの少なくとも１つの主要な部分を形成している、請求項１７記載のガイド装置。
【請求項１９】
成形された各領域が、最大に下降された切欠ライン（１０″．５）を有する切欠として構成されており、該切欠ラインが、第１の区分（１０″．２）の第１の端部に対応する、変形された各領域の角縁部における最も低い位置から上昇して、第１の区分（１０″．２）との間隔が次第に大きくなるようになっている、請求項１７記載のガイド装置。
【請求項２０】
第２のノズル構造のブローエアノズル（１０，１０′）の前方に、リード面（５）のうちの１つとは反対側の、ガイドプレート区分（７．１，７．２，７．３）の側に装着可能なノズル体（１６）が接続可能であって、
該ノズル体（１６）内に、ブローエアによって負荷可能なつる巻線状の通路（１７）が構成されており、該通路（１７）のうちのそれぞれ１つが、それぞれ３６０°に亙って分配配置されたギャップと連通している、請求項１７記載のガイド装置。
【請求項２１】
枚葉紙走行方向（矢印Ｐ）に対して横方向に延びるブローエアダクト（２１）が設けられていて、該ブローエアダクトを介して、ブローエアノズル（９，１０，１０′）がブローエアによって負荷可能である、請求項１７記載のガイド装置。
【請求項２２】
枚葉紙ガイド面（６）の侵入領域（６．１）が、第３のノズル構造のブローエアノズル（１１）を備えていて、第３のノズル構造のブローエアノズル（１１）が、ガイドプレート区分（７．１）に形成された孔の形状のブローエア開口（１１．１）を有している、請求項１７記載のガイド装置。
【請求項２３】
枚葉紙ガイド面（６）の侵入領域（６．１）が、第１のノズル構造のブローエアノズル（９）を備えており、該ブローエアノズル（９）は、これによって生ぜしめられた空気流束が枚葉紙走行方向（矢印Ｐ）とは逆方向に向けられるように整列されている、請求項１７記載のガイド装置。
【請求項２４】
侵入領域（６．１）が第１及び第３のノズル構造のブローエアノズル（９，１１）を備えており、第１のノズル構造のブローエアノズル（９）によって生ぜしられた空気流束が枚葉紙流れ方向とは逆方向に配向されており、
第１のノズル構造のブローエアノズル（９）が、枚葉紙走行方向で、第３のノズル構造のブローエアノズル（１１）に続いている、請求項２２記載のガイド装置。
【請求項２５】
枚葉紙ガイド面（６）の侵入領域（６．１）に向き合って配置され、かつ枚葉紙搬送方向（Ｐ）で見て下流側に位置する、枚葉紙ガイド面（６）の領域内における、第１のノズル構造に属するブローエアノズル（９）は、このブローエアノズル（９）によって生ぜしめられる空気流束が、少なくともほぼ枚葉紙走行方向（矢印Ｐ）に配向されるように、配置されている、請求項１７記載のガイド装置。
【請求項２６】
枚葉紙印刷機において、請求項１から２５までのいずれか１項記載のガイド装置を有していることを特徴とする、枚葉紙印刷機。
【発明の詳細な説明】
本発明は、印刷されたばかりの枚葉紙のためのガイド装置であって、枚葉紙の前縁部が、この前縁部に対して垂直な枚葉紙走行方向に沿って、想定されたリード面を擦過（掠めて通過）するようになっており、前記リード面に続いて、このリード面に対して間隔を保っている、ガイドプレート装置の上側面としての枚葉紙ガイド面が設けられていて、該枚葉紙ガイド面に亙って分配配置され、この枚葉紙ガイド面に開口するブローエア開口が設けられている形式のもの、並びにこのような形式のガイド装置を有する枚葉紙印刷機に関する。
このような形式のガイド装置は、例えばドイツ連邦共和国特許公開第４３０２７６号明細書により公知である。この公知のガイド装置においては、ガイドプレートの貫通孔内にブローノズルが押し込められており、該ブローノズルは、枚葉紙ガイド面に対して傾斜して配置された、枚葉紙ガイド面内に開口する各流過通路から運転に従ってブロー空気流を供給する。公知のガイド装置の１実施例によれば、流過通路は枚葉紙走行方向に整列されていて、ブローノズルは、枚葉紙ガイド面に亙って分配されている。運転に従って流過通路から噴出されるブローエアは、枚葉紙と枚葉紙ガイド面との間で空気流を生ぜしめ、この空気流によって、枚葉紙が枚葉紙ガイド面に接触することが避けられるようにしようとするものである。
ヨーロッパ特許公開第０５０２４１７号明細書によれば、枚葉紙の前縁部が掠めて通過するリード面の下側で枚葉紙走行方向に延びている多数のノズル管より構成された、枚葉紙のためのガイド装置が公知である。ノズル管の上側にはノズル管内に挿入されたブローエアノズルからブローエア開口が開口しており、このブローエアノズルによって、枚葉紙を擦過する渦流が生ぜしめられる。
本発明の課題は、前縁部で強制的にガイドされる枚葉紙を、枚葉紙ガイド面に接触することなしに、このリード面上でガイドすることである。
この課題は、請求項１、請求項９並びに請求項１７に記載した特徴を有するガイド装置によって解決された。
請求項１に記載された第１及び少なくとも１つの第２のノズル構造のブローエアノズルを有する本発明によるガイド装置は、枚葉紙ガイド面と枚葉紙との間に充分に閉鎖されたエアクッションを形成することができる。特に本発明の構成によれば、前記エアクッションの支持能力を、枚葉紙によって覆われた、枚葉紙ガイド面のその都度すべての領域に亙って最適な状態にすることができる。
枚葉紙ガイド面における可能なインキ付着に関連して特に危険な、枚葉紙ガイド面に沿った区分に、第２のノズル構造に属するブローエアノズルが、これらの区分内に設けられたブローエアノズルの少なくとも１つの主要な部分を形成していることによって、本発明によるガイド装置の特に有利な構成が得られる。
第２のノズル構造に属するブローエアノズルのブローエア開口が、枚葉紙ガイド面に形成されたギャップによって形成されており、該ギャップが、リード面から離れる方向に向けられた、ガイドプレート装置のガイドプレート区分の領域の同一方向の折り曲げ部によって形成されており、前記領域は少なくともほぼ、１対の同心的な想定された円間で、３６０°に亙って少なくともほぼ一様に分配配置された同一の角度に亙って延びていて、ガイドプレートラグを形成しており、該ガイドプレートラグが、折り曲げられた領域でそれぞれ対応する端部で、ガイドプレート区分と一体的に接続されていることによって、製造技術的に良好な構成が得られる。
また、第２のノズル構造に属するブローエアノズルのブローエア開口が、枚葉紙ガイド面に形成されたギャップによって形成されており、該ギャップが、ガイドプレート装置に押し込められた通路区分によって形成されており、該通路区分が少なくともほぼ、同心的な１対の想定された円間で少なくともほぼ、３６０°に亙って一様に分配された同一の角度に亙って延びており、前記通路区分がそれぞれ通路底部を有しており、これらの通路底部が、通路区分の対応する第１の端部で枚葉紙ガイド面から延びていて、この枚葉紙ガイド面に関連して、リード面から離れる方向に傾斜しており、第１の端部とは反対側に配置された第２の端部で開放された通路端面側を有していることによって、第２のノズル構造のブローエアノズルの、製造技術的にも機能的にも有利な構成が得られる。
第２のノズル構造に属するブローエアノズルのブローエア開口が、枚葉紙ガイド面に設けられたギャップによって形成されており、該ギャップが少なくともほぼ、想定された同心的な１対の円間で少なくともほぼ、３６０°に亙って一様に分配された同一の角度に亙って延びており、各ギャップのそれぞれが、同心的なそれぞれの１対の円に関連して半径方向内方に位置する、同心的な円の少なくとも周方向に配置された、ガイドプレート装置内の第１の区分と、前記第１の区分の第１の端部に接続された、同心的な円のそれぞれの対に関連して、少なくともほぼ半径方向に延びる第２の区分と、同心的なそれぞれ１対の円間に配置されていて、第１の区分に沿って延びる、ガイドプレートの領域の成形部とから構成されており、該成形部は、第１の区分及び第２の区分によって形成された、前記ガイドプレートの領域の切断縁が、この切断縁とガイドプレート装置の変形されない部分の対応する切断縁との間で、切断縁に沿ってそれぞれ延びるギャップを形成しながら、リード面から離れる方向で、枚葉紙ガイド面に対して同一方向で下降していることによって、第２の野ずつ構造の部位ローエアノズルの技術的に及び機能的にさらに有利な構成が得られる。
特に有利な構成によれば、成形された各領域が、最大に下降された切欠ラインを有する切欠として構成されており、該切欠ラインが、第１の区分の第１の端部に対応する、変形された各領域の角縁部における最も低い位置から上昇して、第１の区分との間隔が次第に大きくなるようになっている。
第２のノズル構造のブローノズルにおいては、場合によっては、第２のノズル構造のブローエアノズルの前方に、リード面のうちの１つとは反対側の、ガイドプレート区分の側に装着可能なノズル体が接続可能であって、該ノズル体内に、ブローエアによって負荷可能なつる巻線状の通路が構成されており、該通路のうちのそれぞれ１つが、それぞれ３６０°に亙って分配配置されたギャップと連通している。
ガイド装置の有利な構成によれば、枚葉紙走行方向（矢印Ｐ）に対して横方向に延びるブローエアダクトが設けられていて、該ブローエアダクトを介して、ブローエアノズルがブローエアによって負荷可能である。このような構成によれば、ブローエアノズルが、枚葉紙走行方向に対して横方向に延びる列において、隣接する列とは無関係にブローエアによって列毎に制御されるようになっているので、列毎に種々異なる、ブローエアのパラメータを設けることができる。
有利な構成によれば、枚葉紙ガイド面の侵入領域が、第３のノズル構造のブローエアノズルを備えていて、第３のノズル構造のブローエアノズルが、ガイドプレート区分に形成された孔の形状のブローエア開口を有している。
別の有利な構成によれば、枚葉紙ガイド面の侵入領域が、第１のノズル構造のブローエアノズルを備えており、該ブローエアノズルは、これによって生ぜしめられた空気流束が枚葉紙走行方向とは逆方向に向けられるように整列されている。
また、侵入領域が第１及び第３のノズル構造のブローエアノズルを備えており、第１のノズル構造のブローエアノズルによって生ぜしられた空気流束が枚葉紙流れ方向とは逆方向に配向されており、第１のノズル構造のブローエアノズルが、枚葉紙走行方向で、第３のノズル構造のブローエアノズルに続いていれば、特に有利である。
さらに有利な構成によれば、枚葉紙ガイド面の侵入領域に向き合って配置され、かつ枚葉紙搬送方向で見て下流側に位置する、枚葉紙ガイド面の領域内における、第１のノズル構造に属するブローエアノズルは、このブローエアノズルによって生ぜしめられる空気流束が、少なくともほぼ枚葉紙走行方向に配向されるように、配置されている。
以下に本発明を図面を用いて詳しく説明する。
図１は、枚葉紙印刷機のチェーンデリバリの実施例における、接触面を備えた枚葉紙ガイド面の概略図、
図２は、本発明の１実施例による、ガイド装置の図１の符号IIで示した箇所の斜視図、
図３は、図２とは異なる変化実施例による、第２のノズル構造のブローノズルを示す図、
図４は、第２のノズル構造のブローノズルの別の実施例を示す図、
図５は、ブローエアダクトに対して横方向に延びる断面図で示す、第２のノズル構造に属すノズル体のブローノズルの１つを示す図である。
図１に示されているように、各枚葉紙１の前縁部は、この枚葉紙１を紙積み装置２に向かって搬送する間、枚葉紙印刷機のデリバリ（排紙部）でグリッパシステム３によって緊張される。このグリッパシステム３は、循環運動するチェーン４にヒンジ接続（枢着）されているので、枚葉紙１の前縁部は、この前縁部に対して直角な枚葉紙方向（矢印Ｐ）で想定されたリード面５を描く。このリード面５に沿って、このリード面５に対して間隔を保って配置された、ガイドプレート装置７の表面の形状の枚葉紙ガイド面６が配置されている。図示の実施例では、ガイドプレート装置７がガイドプレート区分７．１，７．２，７．３を有しており、これらのガイドプレート区分は、枚葉紙走行方向に対して直角に延びる接合箇所で互いに接合されている。
ガイドプレート装置７は、枚葉紙ガイド面６の侵入領域６．１を形成している。この侵入領域６．１は、枚葉紙１をグリッパシステム３に引き渡す印刷装置２４の圧胴２３のすぐ隣に配置されている。図示の実施例では、オフセット法で作業する印刷機が対象となっている。この印刷機は、図１では、付属の排紙部なしで概略的に示されている。印刷機２４は、特に前記圧胴２３、オフセット胴２５、版胴２６を示したことによって表されている。図面では、場合によっては存在する湿し装置は省かれていて、版胴２６と協働するインキ装置は、インキ着けローラ２７によって概略的に示されている。同様に、枚葉紙１をそれぞれのグリッパシステム３に引き渡すための、圧胴２３のグリッパの図示は省かれている。ガイドプレート装置７の圧胴２３のグリッパとガイドプレート装置７とが衝突するのを避けるために、ガイドプレート装置７は、侵入領域６．１内で、図２に示された切欠２８を備えている。
図２に示されているように、枚葉紙ガイド面６に亙ってブローエア開口９．１，１０．１，１１．１が分配して配置されている。これらのブローエア開口は、第１と第２と第３のノズル構造とによって構成されていて、枚葉紙ガイド面６内に開口している。この場合に、第１のノズル構造に所属するブローエアノズル９は、枚葉紙走行方向に関連して整列された空気流束が生ぜしめられるように構成されている。このために、各ブローエアノズル９は、ガイドプレート区分７．１若しくは７．２若しくは７．３内のほぼ円環区分状の領域の、リード面５から離れる方向に向けられた各１つの傾斜した下降面が存在するように構成されている。この傾斜した下降面は、円環区分状の領域に関連して半径方向内方に下降された切断縁が得られ、この切断縁は、この切断縁と、異形成形されずに残されたガイドプレート区分７．１若しくは７．２若しくは７．３の対応する切断縁との間でエアギャップ１２が形成されるように構成されており、このエアギャップ１２を通ってブローエアが運転中に流れ、このブローエアが、枚葉紙ガイド面６の下降された領域によって形成されたギャップの形状のブローエア開口９．１を通って枚葉紙ガイド面６から流出するようになっている。
以上のように構成されたブローエアノズル９は、枚葉紙走行方向で見て下流側で、後述する侵入領域６．１に向き合う、枚葉紙ガイド面６の領域内に、ガイドプレート区分７．１若しくは７．２若しくは７．３のやや円環区分状の傾斜した領域が、前記ギャップ１２から、少なくともほぼ枚葉紙走行方向で上昇して延びるように、配置されている。これによって、ブローエアノズル９によって生ぜしめられた空気流束は、枚葉紙走行方向に対して整列され、枚葉紙走行方向に向けられた主流れ方向を有している。
これとは別の、図示していない実施例においては、ブローエアノズル９は、前記領域内に、ガイドプレート区分７．１若しくは７．２若しくは７．３の長手方向中央に関連して一方では左方向、他方では右方向に位置するブローエアノズル９によって生ぜしめされた空気流束の中央流が、枚葉紙走行方向に開放する角度を成すように互いに傾斜されている。
第２のノズル構造のブローエアノズル１０の第１実施例においては、ブローエアノズルのブローエア開口１０．１が同様に、特別に構成されたギャップの形状で、枚葉紙ガイド面６内に構成されている。前記ギャップは、３６０°に亙って一様に分配されたほぼ同じ角度に亙って、想定された１対の同心的な円１３と１４との間に延びている。これらのギャップは、ガイドプレート区分７．１若しくは７．２若しくは７．３の、円環状区分の１つの形状を有する領域の、リード面５から離れた方向に向けられた折り曲げ部によって次のように構成されている。つまりこれらの領域のそれぞれが、折り曲げ後に、各円環状区分の一端部でガイドプレート区分７．１若しくは７．２若しくは７．３に一体的に接続されるガイドプレートラグ１５が形成されるように構成されている。
しかしながら、正確に同じ角度に亙ってギャップが延びるように形成すること、及びこのギャップを３６０°に亙って一様に分配すること、並びにギャップの円環区分状の制限部を正確に形成することは、必ずしも必要ではない。ギャップは例えば直線的に制限されていてもよい。これと同じことは、後述されている第２のノズル構造のブローエアノズル１０′及び１０″の構成のために当てはまる。
第２のノズル構造のブローエアノズル１０′の第２実施例においては、枚葉紙ガイド面６におけるブローエア開口１０′．１を形成するギャップが、ガイドプレート装置７内に押し込められた通路区分によって形成されている（図３参照）。この通路区分は、少なくともほぼ、同様に、想定された１対の円１３，１４間で３６０°に亙って一様に分配して配置された少なくともほぼ同じ角度に亙って延びている。通路区分は、これが、通路区分の対応する第１の端部で枚葉紙ガイド面６から延びていて、この枚葉紙ガイド面６に関連して、リード面５から離れる方向に傾斜されている。第１の端部に向き合う、通路区分の第２の端部に関連して、通路区分は開放した通路端面側を有している。
図４に示した第２のノズル構造のブローエアノズル１０″の別の実施例においては、ブローエア開口１０″．１は、やはり枚葉紙ガイド面６に形成されたギャプによって形成されている。このギャップの形状及び配置は原則的に、前記図２及び図３による実施例における状態に相当する。しかしながら前記実施例とは異なり、各ギャップは、各１対の円１３，１４に関連して半径方向内方に位置する、少なくとも円１３，１４の周方向で位置決めされた第１の区分１０″．２と、円１３，１４の少なくともほぼ半径方向で位置決めされ、前記第１の区分１０″．２の第１の端部に接続された第２の区分１０″．３と、同心的な円の各対間に配置された、第１の区分１０″．２に沿って延びる、ガイドプレート７の各領域の変形部とによって形成されている。このガイドプレート７の各領域の変形部は、第１及び第２の区分１０″．２及び１０″．３間に形成された、この領域の切断縁が、リード面５から離れる方向で、枚葉紙ガイド面６に対して同一方向で下降されていて、この下降された切断縁が、この切断縁と、ガイドプレート区分７の変形されない部分の対応する切断縁との間に、それぞれ切断縁に沿って延びるギャップ１０″．４を形成することによって形成されている。
本発明の別の実施例によれば、変形された各領域は、最大に下降された切欠ライン１０″．５を備えた切欠の形式で構成されている。この切欠は、第１の区分１０″．２の第１の端部に対応する、変形された各領域の角縁において、最も低い位置から、第１の区分１０″．２に対して次第に間隔を大きくしながら上昇している。
前記切欠、前記通路底部及びガイドプレートラグ１５は、枚葉紙ガイド面６への緩やかな移行部を備えた、採算のとれる製造費用で構成することができる。これは、これによって生ぜしめられた渦流の流れ形成に有利に作用し、ひいてえは枚葉紙１の無接触のガイドに好都合に作用する。
ブローエアノズル１０，１０′，１０″の別の構成においては、第２のノズル構造は、ガイドプレート区分７．１，７．２，７．３の、リード面５とは反対側に取り付けることができるノズル体１６の前方に接続することができる（図４参照）。この第２のノズル構造は、ブローエアによって負荷可能な、つる巻線状の通路１７を有している。これらの通路１７のうちのそれぞれ１つが、それぞれ３６０°に亙って分配された、枚葉紙ガイド面６のギャップに連通している。これらの通路１７は、ノズル体１６の構成に従って、第１実施例においては右回転方向で、また第２実施例においては左回転方向でそれぞれのギャップに開口するように、つる巻線状に形成されている。折り曲げられたガイドプレートラグ１５によって形成されたギャップにおいては、それに応じて、各ノズル体１６に配属された、３６０°に亙って分配して配置されたガイドプレートラグ１５は、第１実施例においては右回転方向で、また第２実施例においては左回転方向で、各ガイドプレートラグ１５の自由端部から枚葉紙ガイド面６に向かって上昇する形式で、ガイドプレート区分７．１若しくは７．２若しくは７．３に対して同一方向で折り曲げられている。この場合の傾斜は、ノズル体１６に形成されたつる巻線状の通路１７の傾斜に相当する。
図示の実施例では、ノズル体１６は、円筒形のカップ１８と、３６０°に亙って分配配置されたガイドプレートラグ１５の数に相当する数のねじ山を備えた、前記カップ内に嵌合されたウォーム１９とから構成されている。これによって、カップ１８によって覆われた、ウォーム１９のつる巻線は、図示の実施例では方形の横断面を有する通路１７を形成している。カップ１８の底部の円筒形の壁部には開口２０が設けられている。これらの開口２０は、各通路１７と連通していて、通路１７をブローエアによって負荷するために使用される。それぞれ３６０°に亙って分配配置されたガイドプレートラグ１５は、ノズル体１６の各通路１７内に突入していて、各ガイドプレートラグ１５の、枚葉紙ガイド面６とは反対側の下側が、ウォーム１９を形成するつる巻線のそれぞれ１つの、枚葉紙ガイド面６に向けられた側面に当接している。
図２に示されているように、第１及び第２のノズル構造のブローエアノズル９，１０は、枚葉紙走行方向（図１の矢印Ｐ）に対して横方向に延びる列Ｚ１からＺ３その他に沿って若しくは枚葉紙ガイド面６に亙って分配配置されている。各列Ｚ１からＺ３その他には、それぞれ１つのブローエアダクト２１が配属されており、これらのブローエアダクトによって、これらの列に沿って配置されたブローエアノズルがブローエアによって負荷される。列Ｚ１からＺ３その他のうちの１つに沿って配置された、第２のノズル構造のブローエアノズル１０に配属されたノズル体１６は、図５によれば、列Ｚ２からＺ３その他に対応して配属されたブローエアダクト２１内に挿入されている。
このために、図５に示されているように、各ブローエアダクト２１は、その開放した側が、枚葉紙ガイド面６とは反対側の、ガイドプレート区分７．１若しくは７．２若しくは７．３の側に当てつけられていて、このガイドプレート区分によって覆われている。
ガイドプレート装置７は、枚葉紙ガイド面６の侵入領域６．１を有している。この侵入領域６．１は、図２に示した部分図（図１で円IIによって示された、ガイド装置の部分）においては、枚葉紙走行方向（矢印Ｐ）で見て、列Ｚ２の手前に位置している。
図２に示した実施例においては、枚葉紙ガイド面６にブローエアノズルを備えるために、前記侵入領域６．１は特に、第１のノズル構造のブローエアノズル９と、第３のノズル構造のブローエアノズル１１とを備えている。このブローエア開口１１．１は、ガイドプレート７．１に形成された孔の形状を有している。図示の実施例では、ブローエア開口１１．１には、室２２からブローエアが供給される。各室２２の上側は、ガイドプレート区分７．１によって覆われている。室２２は、枚葉紙走行方向とは反対方向で、第１の列Ｚ１に配属されたブローエアダクト２１の長手方向側に続いていて、このブローエアダクト２１の前記長手方向側に形成された間隙を介して、ブローエアダクト２１に接続されている。
図２に示した、第３及び第１のノズル構造に属するブローエアノズル１１及び９を備えた侵入領域６．１の構成においては、列Ｚ１に沿って配置された、第１のノズル構造のブローエアノズル９が、第３のノズル構造のブローエアノズル１１に続いていて、これによって、これらのブローエアノズル９は、生ぜしめられた枚葉紙走行方向の空気流束に抗する方向に向けられるように配置されている。これに対応する配置は、ブローエアノズル９が侵入領域６．１内でブローエアノズル９を形成する、ガイドプレート区分の７．１の傾斜したやや円環区分状の領域が、枚葉紙走行方向とは反対方向で上昇していることによって得られる。
枚葉紙ガイド面６の、侵入領域６．１に続く区分は、特にこの枚葉紙ガイド面６が湾曲されている場合に、枚葉紙走行方向で見て、可能なインキ付着に関連して特に危険性のある、枚葉紙ガイド面６の区分としてみなされる。このような区分においては、第２のノズル構造に属するブローエアノズル１０が、この区分に設けられたブローエアノズル９若しくは１０の少なくとも１つの主要な部分を形成する。それに応じて、図示の実施例（図２）では、侵入領域６．１に直接続く列Ｚ２には全体的に、第２のノズル構造に属するブローエアノズル１０が設けられている。この構造は、枚葉紙走行方向で連続する別の１つの又は多数の列のためにも有利である。それに続く列には、次の特別な危険性にさらされる区分まで、第１のノズル構造のブローエアノズル９が設けられている。これらのブローエアノズル９は、これによって生ぜしめられた空気流束の中央流が、枚葉紙走行方向に向けられた主空気流を有するように整列配置されている。しかしながら、これらの各列の構成においては、例えば列Ｚ３に示されているように、第１のノズル構造のブローエアノズル９と、第２のノズル構造のブローエアノズル１０とを交互に設けることもできる。この場合、各列内の第１及び第２のノズル構造のブローエアノズルの列の連続を、１列づつ交互に配置すれば有利である。
可能なインキ付着に関連して特に危険な、枚葉紙ガイド面６の区分としてはさらに、この枚葉紙ガイド面６が平らに構成されている場合には、例えばガイドプレート区分７．２及び７．３が接合箇所８．２を形成しながら互いに接合されている区分が挙げられる。
可能なインキ付着に関連した、枚葉紙ガイド面６の特に危険な区分はさらに、枚葉紙ガイド面６が、平らな区分に続いて、さらに別の平らな区分に方向を変えて移行する区分である。
【図１】
0003850443.tif 000002
【図２】
0003850443.tif 000003
【図３】
0003850443.tif 000004
【図４】
0003850443.tif 000005
【図５】
0003850443.tif 000006